(57)【要約】      （修正有）【課題】ピザを焼くために適した窯を低コストで設置し、小型化する。【解決手段】少なくとも一部が開閉可能なよう構成された開口部を備え、金属製の板で構成される外側窯１と、当該外側窯１の内部に収納される耐火材製の内側窯２と、調理物置きプレート３と、より構成される調理用窯であって、外側窯１は、煙突部１２と、当該外側窯１の底面に形成される燃料燃焼部１４と、を備え、内側窯２は、当該内側窯２の底面に、前記燃料燃焼部１４で発生した熱が前記内側窯２内部に流入するよう、前記内側窯２外壁部を貫通して形成される熱流入穴２３を備え、当該熱流入穴２３から、燃料燃焼部１４で発生した熱が内側窯２内にのみ流入するよう内側窯２を設置する。【選択図】図１
2014213140.tif 000002
【特許請求の範囲】
【請求項１】
少なくとも一部が開閉可能なよう構成された開口部を備える外側窯と、当該外側窯内部に収容され、調理物挿入用の調理物挿入穴を備える内側窯と、内側窯内部に設置される調理物置きプレートと、より構成される調理用窯であって、
前記外側窯は、
金属製の板材により形成される外側窯外壁部と、当該外側窯外壁部の底面に設けられ、燃料を燃焼させる燃料燃焼部と、前記外側窯外壁部の一部に設けられた煙突部と、を備え、
前記内側窯は、
耐火材製の内側窯外壁部を備え、
当該内側窯外壁部の底面に、前記燃料燃焼部で発生した熱が前記内側窯の内部に流入するよう、前記燃料燃焼部の位置に対応する位置に前記内側窯外壁部を貫通して形成される熱流入穴を備える、
調理用窯。
【請求項２】
請求項１に記載の調理用窯であって、
前記内側窯の前記熱流入用穴の上部に、当該内側窯の底面から離間して前記調理物置きプレートを支持する調理物置きプレート架台を設置した、
調理用窯。
【請求項３】
請求項２に記載の調理用窯であって、
前記調理物置きプレート架台によって、前記内側窯内部の底面と前記調理物置きプレートとの間に設けられた隙間部のうち、前記隙間部の側方側周囲の一部を覆う覆材ブロック部を備えた、
調理用窯。
【請求項４】
請求項３に記載の調理用窯であって、
前記覆材ブロック部は、前記隙間部の側方側周囲の１／４から半分を覆う、
調理用窯。
【請求項５】
請求項３又は４に記載の調理用窯であって、
前記調理物挿入穴は、前記内側窯の側面であって、前記外側窯の開口部を開いた際に、前記外側窯が開口する側の前記内側窯の側面に位置し、
前記覆材ブロック部は、前記隙間部の側方側周囲のうち、前記調理物挿入穴と同じ方面に設けられている、
調理用窯。
【発明の詳細な説明】
【技術分野】
【０００１】
本発明は、調理用窯に係り、特に焼調理可能な調理用窯に関する。
【背景技術】
【０００２】
ピザを焼くためには、ピザの内部を十分に加熱しつつ、かつ表面に薄く焦げ目がつくように焼くことが必要である。そのため、ピザの表面全体を均等に加熱しつつ、ピザ内の水分を必要以上に霧散させずに、ピザ内部にも十分な熱が加わるよう、物を温める力を持った遠赤外線を利用してピザを焼くことが望ましいとされている。
【０００３】
遠赤外線が発生する量は物の温度が高くなるほど増える。そこで、例えば耐火煉瓦を、ピザを焼くことが出来る程度の遠赤外線が発生するまで温め、その遠赤外線を利用してピザを焼く、といったことが一般に行われている。いわゆる石窯を利用したピザの調理である。
【０００４】
また、仮に火のみを用いてピザを焼こうとすると、ピザの火側の温度が高くなりすぎる一方で、ピザのうち火とは反対側の部分は十分な熱を得られない。そのため、火とは反対側のピザの部分も十分に焼こうとすると、ピザの火側の部分が焦げてしまうといった問題が生じる。この点、上記石釜を用いると、遠赤外線を必要量発生させるために窯内を十分に温めた状態でピザを調理するため、ピザ全体を十分な熱量で包むことが可能となり、ピザ全体を均等に加熱することができるといった利点もある。
【０００５】
上述した理由により、ピザを焼く際には石釜を用いることが望ましいとされている。なお、パンなどの調理に際しても、同様の点が利点になる。そのため、石窯はパン等を調理する際にも有用である。
【０００６】
ここで、石釜は煉瓦を積み上げて設置される。そのため、非常にコストがかかる。また、石釜は、ひとつひとつ重量のある煉瓦を積み上げて設置されるため、全体としての重量も非常に大きいものになる。さらに、設置するためにはある程度の広さを必要とするため、設置するための場所を選ぶ。
【０００７】
上述したように、石釜を設置するためにはコストがかかり、施工条件にも制約が大きい。そのため、石釜と同程度の遠赤外線効果を得つつ、かつ低コストで場所をとらずに設置可能なピザ焼き窯が求められている。例えば、特許文献１に記載されているように、断熱材を備えた鉄製の第一の窯の外部に、空気層と鉄製の第二の窯を設けた、比較的低コストで設置可能な焼き窯が考案されている。
【先行技術文献】
【特許文献】
【０００８】
【特許文献１】特開２０１２−１１５２２０号公報
【発明の概要】
【発明が解決しようとする課題】
【０００９】
しかし、上述した２段構造の鉄製窯であっても、比較的低コストで設置可能というものの、まだまだ設置するためにはコストがかかる。また、窯の内部に燃料を設置し、当該窯の内部で燃料を燃焼させる必要があるため、窯を小型化させるのは難しい。そのため、窯を設置するのにある程度の広さを必要とするといった問題は依然残る。
【００１０】
そこで、本発明の目的は、上述した課題である、石釜を設置するにはコストがかかり、小型化が難しい、という問題を解決することにある。
【課題を解決するための手段】
【００１１】
かかる目的を達成するため本発明の一形態である調理用窯は、
少なくとも一部が開閉可能なよう構成された開口部を備える外側窯と、当該外側窯内部に収容され、調理物挿入用の調理物挿入穴を備える内側窯と、内側窯内部に設置される調理物置きプレートと、より構成される調理用窯であって、
前記外側窯は、
金属製の板材により形成される外側窯外壁部と、当該外側窯外壁部の底面に設けられ、燃料を燃焼させる燃料燃焼部と、前記外側窯外壁部の一部に設けられた煙突部と、を備え、
前記内側窯は、
耐火材製の内側窯外壁部を備え、
当該内側窯外壁部の底面に、前記燃料燃焼部で発生した熱が前記内側窯の内部に流入するよう、前記燃料燃焼部の位置に対応する位置に前記内側窯外壁部を貫通して形成される熱流入穴を備える、
という構成を採る。
【発明の効果】
【００１２】
本発明は、以上のように構成されることにより、ピザを焼くために適した窯を低コストで設置し、小型化することが可能となる。
【図面の簡単な説明】
【００１３】
【図１】本発明の第一の実施形態における調理用窯の構成を示す断面図である。
【図２】図１で開示した調理用窯の開口部を閉じた状態の構成を示す外観図である。
【図３】図１で開示した調理用窯の開口部を開いた状態の構成を示す外観図である。
【図４】第一の実施形態における内側窯の構成を示す外観図である。
【図５】第一の実施形態における内側窯内の構成を示す図である。
【図６】第二の実施形態における内側窯内の構成を示す図である。
【発明を実施するための形態】
【００１４】
＜実施形態１＞
本発明の第一の実施形態を、図１乃至図５を用いて説明する。
【００１５】
（構成）
本発明における調理用窯は、一般家庭でも設置できるよう小型化、低コスト化を目指して設計された調理用窯である。この調理用窯はたとえば、図１の断面図で示すように、鉄製の外側窯１と、外側窯１の内部に収納される耐火材製の内側窯２と、内側窯２の内部に設置されるピザ置きプレート３（調理物置きプレート）と、により構成される。
【００１６】
外側窯１は例えば、鉄製のバーベキューコンロを利用して構成される。具体的に、外側窯１は、図２で示すように、鉄製の外側窯外壁部１１と、煙突部１２と、を備えて構成されており、容易な移動を可能とするために脚部に車輪部１３を備えている。そして、本実施形態における外側窯１は、外側窯外壁部１１の底部に燃料燃焼部１４を備えている（図１参照）。
【００１７】
外側窯外壁部１１は上述したように鉄製であり、図２で示すように、後述する開口部１６が閉じた際には密閉される、筒状の箱体として構成されている。
【００１８】
上述したように、外側窯外壁部１１は、外側窯外壁部１１の少なくとも一部が開閉する開口部１６を備えている。開口部１６は図３で示すように、前面側の上部に位置する開口蓋部１６ａが上に開くことで構成されており、開口部１６を開くことで、外側窯１の内部が露出する構造になっている。ここで、ピザを調理するためには、内側窯２の内部へとピザを挿入することが必要であるが、このピザの挿入は、図３で示すように、外側窯外壁部１１の開口部１６を開くことで行われる。つまり、開口部１６を開くことで、外側窯１の内部に設置されている内側窯２が露出し、当該内側窯２が露出することで、当該内側窯２の内部へとピザを挿入することが可能となるのである。また、ピザを内側窯２の内部へと挿入した後は、図２で示すように、外側窯外壁部１１の開口部１６は閉じた状態で、ピザを調理することになる。なお、外側窯外壁部１１の備える開口部１６を閉じた際には、内側窯２は、外側窯１の内部へと完全に収納される。また、本実施形態では、外側窯外壁部１１は鉄製であるとした。しかし、本発明の実施において、外側窯外壁部１１は鉄製であることに限定されない。例えばセラミックなどを用いても構わない。
【００１９】
煙突部１２は外側窯外壁部１１の一部に設けられており、外側窯１の内部の熱を外部へと放出する役割を持つ。本実施形態においては、後述する燃料燃焼部１４における燃料の燃焼で風が発生するため、風を排出する穴が必要となる。そのため、煙突部１２は、上述した風を外部へと排出する際に重要となる。
【００２０】
本実施形態において車輪部１３は、外側窯１を支える４本の足のうち、同一の辺を構成する２つの足に備えられる。外側窯１を支える２本の脚に車輪を設けることで、外側窯本体を少し傾けて車輪部１３を利用することができるようになり、当該車輪部１３を利用して調理用窯を動かすことができるようにしている。なお、車輪の数は必ずしも２輪に限定されないし、外側窯を支える脚の数も４本に限定されない。例えば、外側窯を３本の脚で支えてそのうちの一本に車輪を備えてもよいし、車輪を設けずに持ち上げて移動するような構成にしても構わない。
【００２１】
燃料燃焼部１４は上述したように、外側窯外壁部１１の底部に設けられている。燃料燃焼部１４内には燃料が設置されており、燃料燃焼部１４内で燃料を燃焼させ、燃料を燃焼させることで発生する熱を燃料燃焼部１４の上部に設けられた空間から外部へと放出することで、調理に必要な熱を発生させる。本発明は、その熱を利用してピザを調理することになる。
【００２２】
本実施形態において具体的には、燃料燃焼部１４としていわゆるペレットバーナーを用いる。また、燃料燃焼部１４内で燃焼させるための燃料として、木質ペレットを使用する。ここで、木質ペレットは、後述する燃料供給部１５により燃料燃焼部１４内に自動で供給される。つまり、燃料燃焼部１４は、燃料供給部１５により自動で供給される木質ペレットを、燃料として燃焼させることになる。そして、燃焼している木質ペレットを風で煽ることで、本実施形態における熱源とする。なお、本発明の実施には燃料供給部１５は必ずしも必須の構成ではない。燃料供給部１５を用いない場合は、燃料燃焼部１４の内部に予め設置された燃料を燃焼させることにより、ピザを調理することになる。
【００２３】
燃料供給部１５は、燃料燃焼部１４内に自動で木質ペレットを供給する役割をもつ。燃料供給部１５により燃料燃焼部１４内に燃料を供給することで、永続的なピザの調理を可能にする。また、木質ペレットの供給量を調整することで、ピザを調理する際の火力の調整を行うことも可能になる。なお、ペレットバーナーは既存の製品を利用している。そのため、詳細な構成は省略する。
【００２４】
上述したように、ペレットバーナーは風により炎を煽り熱源にするバーナーである。そのため、風を外部へと排出するための穴が必要となる。この穴としての役割は、後述するピザ挿入穴２２と、上述した煙突部１２が果たしている。以上が本実施形態における外側窯１の構造である。
【００２５】
次に、本実施形態における内側窯２の構造を説明する。内側窯２は耐火材製の内側窯外壁部２１によって囲まれて構成されており、その形状は内部が空洞な直方体である。そして、内側窯外壁部２１の側面の一つには、ピザ挿入用（調理物挿入用）のピザ挿入穴２２（調理物挿入穴）が設けられている。また、内側窯外壁部２１の底面には、図１の断面図で示すように、熱流入穴２３が設けられている。上述した２つの穴が設けられている以外は、内側窯外壁部２１によって内側窯２の内部と外部は遮断されている。
【００２６】
内側窯２は上述したように、外側窯外壁部１１の開口部１６を開くことで外側窯１内部の内側窯２が露出するように、外側窯１の内部に収容されている。また、ピザを調理する際には外側窯外壁部１１の開口部１６は閉じた状態になるが、開口部１６が閉じた際には、内側窯２は完全に外側窯１の内部に収容されることになる。つまり、内側窯２の大きさは、外側窯外壁部１１の開口部１６を閉じることで、外側窯１の内部に内側窯２を完全に収納することが可能な程度の大きさである。
【００２７】
ピザ挿入穴２２は、ピザを内側窯２の内部で調理するために設けられる。つまり、ピザを内側窯外壁部２１で構成される内側窯２の内部へと挿入して調理するためには、ピザを内側窯２の内部へと挿入するための穴が必要となるが、このピザを内側窯２の内部へと挿入するために内側窯外壁部２１に設けられた穴が、ピザ挿入穴２２である。そのため、ピザを調理する際には、内側窯外壁部２１に設けられたピザ挿入穴２２を通してピザを内側窯２の内部へと挿入し、内側窯２の内部に設置されているピザ置きプレート３（調理物置きプレート）にピザを置くことになる。なお、焼き上がったピザは、内側窯２の内部へとピザを挿入する場合と同様に、ピザ挿入穴２２を通して内側窯の外部へと排出する。
【００２８】
熱流入穴２３は、外側窯外壁部１１が備える燃料燃焼部１４内で木質ペレットを燃焼させることで生じる熱を、内側窯２内部へと流入させるための穴である。そのため、燃料燃焼部１４で発生した熱が内側窯２の内部へと流入するように、熱流入穴２３は、図１に示すように、外側窯１が備える燃料燃焼部１４の上部に位置するよう形成される。例えば、図５で示すように、内側窯２の中央部付近に位置するように燃料燃焼部１４が設けられている場合には、燃料燃焼部１４に対応する位置である内側窯２の中央部付近に、熱流入穴２３は設けられる。また、燃料燃焼部１４の上部の空間及び熱流入穴２３は、燃料燃焼部１４で生じた熱を煽ることで生じる熱風がすべて、燃料燃焼部１４から内側窯２の内部へと流れるように構成する。つまり、図１で示すように、燃料燃焼部１４で生じた熱を燃料燃焼部１４の外部へと放出するための空間は、内側窯２の底面より小さく、また、内側窯２の底面は外側窯１の底面と密着して設置されるため、燃料燃焼部１４で発生した熱を煽ることで発生する熱風はすべて、内側窯２の内部へと流れる。そのため、燃料燃焼部１４で発生する熱風が、内側窯２と外側窯１との間の空気層に直接流れることはない。
【００２９】
内側窯２の内部には、図４で示すように、ピザ置きプレート３が設置される。ここで、ピザ置きプレート３は、燃料燃焼部１４の上部に位置するよう、熱流入穴２３の上部に設置する。ただし、ピザ置きプレート３を直に内側窯２の内部に設置すると、当該ピザ置きプレート３で熱流入穴２３が塞がれ、燃料燃焼部１４からの熱の流入を阻害する原因になる。そこで、ピザ置きプレート３は、ピザ置きプレート３を内側窯２の底面に直接設置することで熱流入穴２３を塞ぐことがないように、内側窯２の底面から所定の距離だけ離間して前記ピザ置きプレートを支持する、ピザプレート架台３１（調理物置きプレート架台）の上に設置する。ピザプレート架台３１としては例えば、鉄輪などの五徳が用いられる。しかしピザプレート架台３１は、ピザ置きプレート３を内側窯２の底面から離間して支持可能であれば、特に鉄輪などに限定されない。以上が、本発明の第一の実施形態における構成である。
【００３０】
次に、本実施形態における調理用窯を使用時の動作を説明する。
【００３１】
（動作）
まずはじめに、燃料燃焼部１４で木質ペレットを燃焼させる。そして、当該燃焼による炎を風で煽ることで、本発明の調理に必要な熱源とする。ここで、上述したように、内側窯２と外側窯１との間の空気層や外側窯１の外部に、燃料燃焼部１４で発生した熱風が直接流れることはないように、燃料燃焼部１４と内側窯２とを構成している。そのため、燃料燃焼部１４で発生した熱風はすべて、内側窯２と外側窯１の間の空間部や外側窯１の外側には直接は流れずに、熱流入穴２３を通って内側窯２へと流入する。
【００３２】
ここで、内側窯２は、熱流入穴２３の他にピザ挿入穴２２を備えている以外は、耐火材製の内側窯外壁部２１に覆われている。そのため、熱流入穴２３から流入した熱風の多くは、内側窯２の内部で循環し、内側窯２の内部で滞留し、内側窯２を加熱することになる。また、ピザ置きプレート３は燃料燃焼部１４の上部に設置されているため、燃料燃焼部１４からの熱で直接、ピザ置きプレート３は熱せられることになる。
【００３３】
上述したように、燃料燃焼部１４から内側窯２の内部へと流入した熱風の多くは、内側窯２の内部で循環し滞留する。一方で、内側窯２にはピザ挿入穴２２が設けられているため、内側窯２内部の熱の一部は、ピザ挿入穴２２から内側窯２の外部（外側窯１の内部）へと排熱として放出される。ここで、外側窯１もまた、煙突部１２が設置されている以外は外側窯外壁部１１で覆われている。そのため、内側窯２のピザ挿入穴２２から外側窯１内部へと排出された排熱もまた、外側窯１の内部で循環し滞留する。そして、外側窯１の内部で滞留した排熱の一部が、煙突部１２により外部へと排出され空気中へ拡散することになる。
【００３４】
ここで、熱せられた空気は軽くなるため、煙突部１２を設けることでドラフトが起き煙突部１２付近の熱が外にひっぱられ窯内の温度に偏りが生じることが懸念される。しかし、本発明は内側窯２の内部で一度熱風が循環する構造である。そのため、外側窯１内の排熱に偏りが生じたとしても、内側窯２内部の温度の偏りはある程度防止される。また、外側窯１の外部へと排出される熱は、内側窯２内部から排出された排熱がさらに、外側窯１の内部で循環したものである。そのため、内側窯２の熱をそのまま外部へと排出する場合と比べて、その温度は低くなる。その結果、本発明の調理用窯を設置した部屋の温度をその排出熱で必要以上に暖めることを防止することが可能である。
【００３５】
本実施形態は、上述した熱の流れを利用して、ピザを調理することになる。具体的には、上述した内側窯２内部で循環する熱風により高温となったピザ置きプレート３周辺の熱と、燃料燃焼部１４により直接熱せられたピザ置きプレート３と、を利用してピザを調理する。また、上述したように、遠赤外線が発生する量は物の温度が高くなるほど増える。そのため、内側窯２の内部が熱せられることで遠赤外線が発生する量が増え、その遠赤外線による輻射熱も利用して、ピザを調理する。
【００３６】
以上のように構成することにより、熱源を窯内部に設置する必要がなくなるため、窯全体の大きさを小さくすることが可能となる。また、耐火材製の内側窯２も小さくすることが可能となる。重い耐火材製の内側窯２を小さくすることができるため、全体としての重量を抑えることが可能となる。また、本実施形態の調理用窯は、内側窯２内部の熱をそのまま外部へと放出することはなく、内側窯２内部で循環した後、外側窯１の外側窯外壁部１１と内側窯外壁部２１との間の空気層を循環し、その後、外側窯１に設けられた煙突部１２より外部へと放出される。このため、内側窯２内部の熱が直接外部へと排出される場合と比べて、内側窯２内部での温度の偏りを防止することが可能となる。
【００３７】
以上、本発明の第一の実施形態を、ピザを調理する場合について説明した。しかし、本発明の調理用窯は、例えばパンなどを調理する際にも用いることが可能である。その場合、ピザ置きプレート３は、調理対象であるパンを置く為のプレートとして機能する。また、パンを焼く以外にも、例えばグラタンやローストビーフなど様々なものを調理する際にも用いることができる。本発明は、調理する対象には左右されず実施可能である。
【００３８】
また、本実施形態において外側窯１は、既存のバーベキューコンロを利用して構成した。しかし、本発明の外側窯１は既存のバーベキューコンロを利用するものに限定されない。例えば、内側窯２の周囲を覆うように鉄板で覆うことで外側窯１を構成しても構わない。上述するように内側窯２の周囲を覆う鉄板で外側窯１を構成することにより、調理用窯全体のさらなる小型化を図ることも可能である。
【００３９】
さらに、本実施形態においては、ピザ置きプレート３一つのみで調理用窯が構成される場合を示した。しかし、必ずしも本発明の実施は、ピザ置きプレート３が一つである場合に限定されない。例えば、ピザプレート架台３１上に２段にピザ置きプレート３を設置できるようピザプレート架台３１を構成し、ピザ置きプレートを２段に設置して本発明の調理用窯を使用する事も可能である。
【００４０】
＜実施形態２＞
次に、本発明の第２の実施形態を、図６を用いて説明する。
【００４１】
本発明の構成はほぼ第１の実施形態と同一である。そのため、第一の実施形態と同一の構成は省略する。
【００４２】
上述したように、第２の実施形態は第１の実施形態と同一の構成をそのまま備えている。そして、第１の実施形態の構成に加えて、図６で示すように、内側窯２の内部に設置されたピザプレート架台３１の周辺の一部であって、ピザ置きプレート３と内側窯外壁部２１の底面との間の隙間部側方側の周辺部に、当該ピザプレート架台３１の周囲を囲むように耐火材製のブロック部３２（覆材ブロック部）を新たに設置している。
【００４３】
ブロック部３２は、ピザプレート架台３１の上部にピザ置きプレート３を設置することにより設けられた、ピザ置きプレート３と内側窯外壁部２１の底面との間の隙間部を埋めるために設置される。そのため、ピザ置きプレート３と内側窯外壁部２１の底面との間の隙間部を埋めることができる程度の高さを持つ。また、上述したように、ブロック３２はピザプレート架台３１の周辺の一部に設けられる。そのため、ピザプレート架台３１の周辺の一部の隙間部をブロック３２で埋めることにより、燃料燃焼部１４より流入する熱風の流れの一部が遮られることになる。その結果、循環する熱の流れをある程度制御することが可能となる。
【００４４】
また、本実施形態では上述したように、燃料燃焼部１４で木質ペレットを燃焼させることで、調理に必要な熱を得ている。そのため、木質ペレットを燃焼させることにより、燃焼中の木質ペレットから火の粉が発生し、当該発生した火の粉が熱流入穴２３を通って外部へと飛散することがある。しかし、上述したブロック部３２を設けることで、燃料燃焼部１４で発生した火の粉がブロック３２を設置した方向へ飛散することを遮ることが可能になる。
【００４５】
ブロック部３２は例えば、内側窯２に設けられたピザ挿入穴２２と同方向の、ピザ置きプレート３と内側窯外壁部２１の底面との間の隙間部部分を埋めるように設ける。上述したようにブロック部３２を設けることにより、燃料燃焼部１４から内側窯２内部へと流入した熱風のうち、ピザ挿入穴２２方面へ流れる熱風が遮られることになる。そのため、内側窯２の内部へと流入した熱風が直接ピザ挿入穴２２から内側窯２の外部へと流出することを防ぐ事ができ、より内側窯２の内部で熱風が循環するようになる。その結果、より効率的に内側窯２の内部で循環する熱風により、内側窯２内部はより熱せられることになる。また、上述したようにブロック部３２を設けることで、燃料燃焼部１４で発生した火の粉が、熱流入穴２３からピザ挿入穴２２方面へ飛散することを遮ることが可能になる。これにより、燃料燃焼部１４で発生した火の粉がピザ挿入穴２２を通って、内側窯２の外部へと飛散するのを防ぐ事が出来る。
【００４６】
以上のように構成することにより、内側窯２の内部でより効率的に熱風が循環するようになり、より効率的に内側窯２の内部を温めることが可能になる。
【００４７】
＜付記＞
上記実施形態の一部又は全部は、以下の付記のようにも記載されうる。以下、本発明における調理用窯の概略を説明する。但し、本発明は、以下の構成に限定されない。
【００４８】
（付記１）
少なくとも一部が開閉可能なよう構成された開口部を備える外側窯と、当該外側窯内部に収容され、調理物挿入用の調理物挿入穴を備える内側窯と、内側窯内部に設置される調理物置きプレートと、より構成される調理用窯であって、
前記外側窯は、
金属製の板材により形成される外側窯外壁部と、当該外側窯外壁部の底面に設けられ、燃料を燃焼させる燃料燃焼部と、前記外側窯外壁部の一部に設けられた煙突部と、を備え、
前記内側窯は、
耐火材製の内側窯外壁部を備え、
当該内側窯外壁部の底面に、前記燃料燃焼部で発生した熱が前記内側窯の内部に流入するよう、前記燃料燃焼部の位置に対応する位置に前記内側窯外壁部を貫通して形成される熱流入穴を備える、
調理用窯。
【００４９】
この構成によると、燃料燃焼部で燃料を燃焼させることで得た熱は、内側窯の底面に設けられた穴より内側窯の内部へと流入する。燃料燃焼部より流入する熱により、内側窯内部は十分に熱せられ、内側窯内部が十分に熱せられることで内側窯内部に設置したピザなどを焼くことが出来る。このため、熱源を内側窯の内部に設置する必要がなくなるため、内側窯を小さくすることが可能になり、内側窯を小さくするため、その重量も抑えることが出来る。また、内側窯内部の熱はそのまま外部へと放出されることはなく、内側窯内部で循環した後、外側窯の外壁部と内側窯の外壁部との間の空気層を循環する。そしてその後、外側窯に設けられた煙突より外部へと放出される。このため、内側窯２の内部において高い蓄熱効果が期待でき、その結果より効率的に調理をすることが可能となる。
【００５０】
（付記２）
付記１に記載の調理用窯であって、
前記内側窯の前記熱流入用穴の上部に、当該内側窯の底面から離間して前記調理物置きプレートを支持する調理物置きプレート架台を設置した、
調理用窯。
【００５１】
この構成によると、ピザ置きプレートを熱流入穴の上部に設置したとしても、燃料燃焼部で発生した熱が当該ピザ置きプレートに阻害されずに内側窯内部へと流入するようになる。このため、より効率的に内部窯の内部を熱することが可能になる。
【００５２】
（付記３）
付記２に記載の調理用窯であって、
前記調理物置きプレート架台によって、前記内側窯内部の底面と前記調理物置きプレートとの間に設けられた隙間部のうち、前記隙間部の側方側周囲の一部を覆う覆材ブロック部を備えた、
調理用窯。
【００５３】
この構成によると、熱流入穴より流入した熱風のうち覆材ブロック部が設けられている側の熱風は、当該覆材ブロック部により遮られることになる。これにより、覆材ブロック部の設けられていない方から熱風が流れることとなり、熱の循環が促される。また、この構成によると、熱流入穴より飛散する火の粉のうち覆材ブロック部が設けられている側への火の粉の飛散は、当該覆材ブロック部により遮られることになる。これにより、覆材ブロック部方面へ火の粉が飛散する事を防ぐ事が可能になる。
【００５４】
（付記４）
付記３に記載の調理用窯であって、
前記覆材ブロック部は、前記隙間部の側方側周囲の１／４から半分を覆う、
調理用窯。
【００５５】
この構成によると、覆材ブロック部が内側窯内部の底面と前記調理物置きプレートとの間に設けられた隙間部の側方側周囲の１／４から半分を覆うことになり、当該範囲内の、燃料燃焼部から内側窯への熱風の流入が遮られることになる。これにより、熱の循環がより促されることになる。
【００５６】
（付記５）
付記３又は４に記載の調理用窯であって、
前記調理物挿入穴は、前記内側窯の側面であって、前記外側窯の開口部を開いた際に、前記外側窯が開口する側の前記内側窯の側面に位置し、
前記覆材ブロック部は、前記隙間部の側方側周囲のうち、前記調理物挿入穴と同じ方面に設けられている、
調理用窯。
【００５７】
この構成によると、燃料燃焼部から内側窯へ流入する熱風のうち、調理物挿入穴方面へ抜ける熱風の流れが遮られることになる。これにより、内側窯内部で熱が循環せずに、燃料燃焼部から流入した熱風がそのまま調理物挿入穴から外側窯内部へと流出してしまうことを防ぐ事ができるようになり、その結果、内側窯内部でより熱風が循環するようになり、内側窯内部をより効率的に熱することができるようになる。また、この構成によると、燃料燃焼部で発生した火の粉のうち、調理物挿入穴方向へ飛散する火の粉は覆材ブロック部で遮られることになる。その結果、燃料燃焼部で発生した火の粉が調理物挿入穴を通って、内側窯の外部へと飛散することを防ぐ事ができるようになる。
【符号の説明】
【００５８】
１  外側窯
１１  外側窯外壁部
１２  煙突部
１３  車輪部
１４  燃料燃焼部
１５  燃料供給部
１６  開口部
１６ａ  開口蓋部
２  内側窯
２１  内側窯外壁部
２２  ピザ挿入穴
２３  熱流入穴
３  ピザ置きプレート
３１  ピザプレート架台
３２  ブロック部
【図１】
2014213140.tif 000003
【図２】
2014213140.tif 000004
【図３】
2014213140.tif 000005
【図４】
2014213140.tif 000006
【図５】
2014213140.tif 000007
【図６】
2014213140.tif 000008